(57)【特許請求の範囲】
【請求項１】
害虫を捕獲する粘着剤を一方の面に塗布し、中央に備えた折線をはさみ、折線から等距離かつ平行に二本の筒部を前記一方の面である粘着面の反対側の面に設けた害虫捕獲シートを含む害虫捕獲具であって、
二本の筒部にそれぞれ挿入するまたは引き抜くことにより害虫捕獲シートを着脱する互いに平行な二本の棒体を片端に備え、
他端には、手で握ることにより平行の位置関係を保ったまま棒体間隔を狭める握り手部を備え、
前記棒体にはそれぞれ、所定長さの切れ込みが長手方向に入れてあり、
粘着面を握り手部側の反対側として棒体を筒部に挿入すると共に切れ込みにより棒体が筒部を挟持し、粘着面に害虫をつけた後、握り手部を操作して筒部の間隔を狭めることにより折線部分が折れ曲がり、粘着面同士がついて接着した害虫を包持することを特徴とする害虫捕獲具。
【請求項２】
害虫を捕獲する粘着剤を一方の面に塗布し、中央に備えた折線をはさみ、折線から等距離かつ平行に二本の筒部を前記一方の面である粘着面の反対側の面に設けた害虫捕獲シートを含む害虫捕獲具であって、
二本の筒部にそれぞれ挿入するまたは引き抜くことにより害虫捕獲シートを着脱する互いに平行な二本の棒体を片端に備え、
他端には、手で握ることにより平行の位置関係を保ったまま棒体間隔を狭める握り手部を備え、
前記棒体の挿入方向後側に、所定長さまで折り返されて棒体との間で間隙を形成した挟持部を設け、
粘着面を握り手部側の反対側として棒体を筒部に挿入すると共に棒体と挟持部とで筒部を挟持し、粘着面に害虫をつけた後、握り手部を操作して筒部の間隔を狭めることにより折線部分が折れ曲がり、粘着面同士がついて接着した害虫を包持することを特徴とする害虫捕獲具。
【請求項３】
前記反対側の面から折線に沿って立ち上がるつまみ片を設け、
粘着面を握り手部側の反対側として棒体を筒部に挿入し、折線を粘着面側が山折りとなるように折り曲げて害虫をつけた後、つまみ片を引いて粘着面側を谷折りとし、握り手部を操作して害虫を包持することを特徴とする請求項１または２に記載の害虫捕獲具。
【請求項４】
筒部の位置を、折線から害虫捕獲シートの端までの３／１０〜９／１０に設けたことを特徴とする請求項１、２または３に記載の害虫捕獲具。
【発明の詳細な説明】
【技術分野】
【０００１】
本発明は、害虫捕獲具に関し、特に、カメムシ、ゴキブリ、ムカデ、クモといった、一般に敬遠される虫（以降において適宜害虫と称することとする。）を捕獲する捕獲具および捕獲シートに関する。
【背景技術】
【０００２】
従来、例えばゴキブリを駆除する場合に、実開平２−９６８８１号（文献１）に示されるような粘着シートにつける捕獲方法ないし捕獲具が知られている。
【０００３】
また、特開２００３−１８０２２４号（文献２）や特許第５１５９９８２号（文献３）に示されるように、粘着面を折り曲げ包み込むマジックハンド様の捕獲具や、押しつけ先の面に追従する手持ちの捕獲具も知られている。
【０００４】
しかしながら、従来の技術では以下の問題点があった。
害虫はいわば嫌われ者であって、捕獲後も、近づきたくない・できるだけ見たくない、という心理が存在する。
【０００５】
すなわち、文献１に開示される技術は、比較的簡便に害虫を捕獲できるものの、単に捕獲するだけであって、ゴミ箱に捨てる際にシートを丸める必要があるなど、ほとんど害虫に触っているような作業を要し、心理的抵抗が大きく、敬遠されてしまうという問題点があった。
【０００６】
文献２に開示される技術は、捕獲性には優れるものの、ハンドルをある程度長くかつ剛性の高いものとする必要があり、また、粘着面には板を用いている。従って、使用後に廃棄するには、無駄が多すぎるという問題点があった。換言すれば、利便性に劣る、または、無駄が多い、という問題点があった。
【０００７】
文献３に開示される技術は、シート部材を着脱自在とするため無駄が省かれるが、シート部材の裏面にも粘着剤を備えるため、捕獲具本体からのシート部材の取り外し性が必ずしも良好でないという問題点があった。加えて、ガラス面にシート部材を押し付けてしまった場合、ガラス面に粘着シートが残ってしまったり、捕獲具からはずれてしまったりする不具合を招来してしまう可能性があった。また、本体の構成も簡素ではなく、安価に提供しにくいという問題点があった。何より、害虫は動き回るので、外側固定枠体と壁等との間で害虫を潰してしまうこともあり、一層不快な思いをする場合があるという問題点を内包していた。
【先行技術文献】
【特許文献】
【０００８】
【特許文献１】実開平２−９６８８１号
【特許文献２】特開２００３−１８０２２４号
【特許文献３】特許第５１５９９８２号
【発明の概要】
【発明が解決しようとする課題】
【０００９】
本発明は上記に鑑みてなされたものであって、取扱いに心理抵抗が少なく、利便性に優れ、安価に提供できる害虫捕獲具および取替用害虫捕獲シートを提供することを目的とする。
【課題を解決するための手段】
【００１０】
請求項１に記載の害虫捕獲具は、害虫を捕獲する粘着剤を一方の面に塗布し、中央に備えた折線をはさみ、折線から等距離かつ平行に二本の筒部を前記一方の面である粘着面の反対側の面に設けた害虫捕獲シートを含む害虫捕獲具であって、二本の筒部にそれぞれ挿入するまたは引き抜くことにより害虫捕獲シートを着脱する互いに平行な二本の棒体を片端に備え、他端には、手で握ることにより平行の位置関係を保ったまま棒体間隔を狭める握り手部を備え、前記棒体にはそれぞれ、所定長さの切れ込みが長手方向に入れてあり、粘着面を握り手部側の反対側として棒体を筒部に挿入すると共に切れ込みにより棒体が筒部を挟持し、粘着面に害虫をつけた後、握り手部を操作して筒部の間隔を狭めることにより折線部分が折れ曲がり、粘着面同士がついて接着した害虫を包持することを特徴とする。
【００１１】
すなわち、請求項１に係る発明は、二本の棒体を狭める簡素な構成を採用しつつ、捕獲シートの着脱も含めて簡便な操作が可能となる。換言すれば、単純な構成である筒部を設けることにより、着脱性を向上させると共に、幅寄せするだけで害虫を外部から見えないように包持できる。これにより、取扱いに心理抵抗が少なく、利便性に優れ、安価に提供できる、取替可能なシートによる害虫捕獲具を提供することができる。また、請求項１に係る発明は、切れ込みにより、害虫捕獲シートの装着安定性も高めている。
【００１２】
なお、粘着剤の種類は特に限定されず、害虫が一旦つけば動いてもシートから離れない程度以上の粘着力を有しつつ、平滑なガラス面に貼着しても簡便に剥がせる程度以下の粘着力を有する粘着剤であれば特に限定されない。また、塗布とは、必ずしも粘着面への一様塗布に限定されず、ドット状や千鳥格子状、網目状に塗布する態様も含まれる。使用の態様により、周縁部、たとえば、筒部位置より外側は塗布しないようにしてもよい。
【００１３】
また、害虫捕獲シートは、折線に対して線対称基調であることが、包持の観点や棒体挿入性の観点から好ましい。保護シートの素材はある程度の柔軟性を有していれば特に限定されないが、山折りや谷折りを簡単に形成される紙が好適である。不織布を用いてもよい。大きさは、害虫用であるので、横１０ｃｍ〜２５ｃｍ、縦６ｃｍ〜１５ｃｍ程度が好ましい。
【００１４】
筒部の大きさは特に限定されないが、直径１ｃｍの円筒または一辺１ｃｍ角の角筒とすることができる。筒部の間隔は８ｃｍ〜２０ｃｍ程度が好ましい。なお、筒部が端部に位置せず、ある程度内側、すなわち筒部より両外にもシート片が存在する位置関係が好ましい。
【００１５】
接着した害虫とは、駆除しようとして粘着面を当ててついた害虫を意味する。
【００１６】
捕獲具の長さは特に限定されないが、あまりに短いと天井の害虫を捕獲することができず、また、忌避する害虫と間近に向き合うこととなるので、４０ｃｍ以上が好ましい。ただし、長すぎると操作性が悪くなる（ふらついて狙いが定まりにくくなる）ので８０ｃｍ以下が好ましい。粘着面を握り手部側の反対側とする、とは、筒部が握り手部側に位置しているということを意味する。なお、害虫捕獲シートは線対称に形成するのが好ましく、この場合は、向き合わせに手間取ることなく素早く棒体の挿通ができる。
【００１７】
なお、切れ込み先端は離間ないし拡径させ、シートの円滑な挿通を実現するようにしてもよい。
【００１８】
請求項２に記載の害虫捕獲具は、害虫を捕獲する粘着剤を一方の面に塗布し、中央に備えた折線をはさみ、折線から等距離かつ平行に二本の筒部を前記一方の面である粘着面の反対側の面に設けた害虫捕獲シートを含む害虫捕獲具であって、二本の筒部にそれぞれ挿入するまたは引き抜くことにより害虫捕獲シートを着脱する互いに平行な二本の棒体を片端に備え、他端には、手で握ることにより平行の位置関係を保ったまま棒体間隔を狭める握り手部を備え、前記棒体の挿入方向後側に、所定長さまで折り返されて棒体との間で間隙を形成した挟持部を設け、粘着面を握り手部側の反対側として棒体を筒部に挿入すると共に棒体と挟持部とで筒部を挟持し、粘着面に害虫をつけた後、握り手部を操作して筒部の間隔を狭めることにより折線部分が折れ曲がり、粘着面同士がついて接着した害虫を包持することを特徴とする。
【００１９】
すなわち、請求項２に係る発明は、二本の棒体を狭める簡素な構成を採用しつつ、捕獲シートの着脱も含めて簡便な操作が可能となる。換言すれば、単純な構成である筒部を設けることにより、着脱性を向上させると共に、幅寄せするだけで害虫を外部から見えないように包持できる。これにより、取扱いに心理抵抗が少なく、利便性に優れ、安価に提供できる、取替可能なシートによる害虫捕獲具を提供することができる。また、請求項２に係る発明は、折り返しにより、害虫捕獲シートの装着安定性も高めている。
【００２０】
なお、請求項１の切れ込みか請求項２の折り返しかは、見方に依存する。すなわち、棒体を割ったようなまたは分岐したように見えれば切れ込みであり、棒体から連続しているように見えれば折り返しといえる。
【００２１】
請求項３に記載の害虫捕獲具は、請求項１または２に記載の害虫捕獲具において、前記反対側の面から折線に沿って立ち上がるつまみ片を設け、粘着面を握り手部側の反対側として棒体を筒部に挿入し、折線を粘着面側が山折りとなるように折り曲げて害虫をつけた後、つまみ片を引いて粘着面側を谷折りとし、握り手部を操作して害虫を包持することを特徴とする。
【００２２】
すなわち、請求項３に係る発明は、狭い所や奥まった所にいる害虫も好適に捕獲し、包持できる。
【００２３】
なお、つまみ片は、捕獲シートと同一素材とすることができる。大きさは、たとえば、折り線に沿った方が３ｃｍで、長さを８ｃｍとした短冊形状の紙とする例を挙げることができる。
【００２４】
請求項４に記載の害虫捕獲具は、請求項１、２または３に記載の害虫捕獲具において、筒部の位置を、折線から害虫捕獲シートの端までの３／１０〜９／１０に設けたことを特徴とする。
【００２５】
すなわち、請求項４に係る発明は、害虫を包持した際に筒部より外側部分のシートを足で踏んで棒体を簡便に抜くことができ、顔や手を近づけることなく害虫を処分することが可能となる。
【発明の効果】
【００２６】
本発明によれば、取扱いに心理抵抗が少なく、利便性に優れ、安価に提供できる害虫捕獲具を提供することができる。
【図面の簡単な説明】
【００２７】
【図１】本発明の害虫捕獲具の実施の形態の一例を示した説明図である。
【図２】アーム先端の構成を示した説明図である。
【図３】本発明の害虫捕獲シートの実施の形態の一例を示した説明図である。
【図４】使用例について説明した概念図である。
【図５】別の使用例について説明した概念図である。
【発明を実施するための形態】
【００２８】
以下、本発明の実施の形態を図面を参照しながら詳細に説明する。なお、図は説明の便宜上、適宜縮尺を変えて描画している。
図１は、本発明の害虫捕獲具の実施の形態の一例を示した説明図である。図２は、アーム先端の構成を示した説明図である。図示したように、害虫捕獲具１は、本体１０とシート２０とにより構成される。
【００２９】
本体１０は、柄１１の片側に握り手１２が、もう一方の側にアーム１３が形成され、アーム１３の先端には更に挿入棒１４が形成されており、いわゆるマジックハンド様の器具である。
【００３０】
握り手１２は、グリップ１２１とレバー１２２により構成される。グリップ１２１は手になじむ太さであり、レバー１２２に指をかけ、比較的長い害虫捕獲具１をふらつきなく速やかに害虫に向けることを可能としている。レバー１２２を引くことによりアーム１３が閉じ、また、図示しないバネ機構により、手の力を緩めるとレバー１２２は元に戻る。
【００３１】
アーム１３は、支点１３１を軸として、レバー１２２に連動してその間隔を狭めたり元に戻したりする。アーム１３の先端の挿入棒１４は、互いに平行な位置関係であって、柄の方向と直交する向きに配向している。なお、レバー１２２の操作とアーム１３との連動機構は汎用技術を使えばよく、その説明は省略する。
【００３２】
図２ａに示した様に挿入棒１４には切れ込み１４１が形成されこれによりシート２０が挟持される。なお、挿入棒１４の先端にはシート２０の挿入性をよくするための広がり１４２が形成されている。挿入棒１４は、いわばヘアピンを大型にしたような形状といえる。
【００３３】
本実施例では、柄１１はアルミニウム製で５０ｃｍ、本体１０の全長は約７５ｃｍとしている。挿入棒１４は、長さが１２ｃｍ、太さが約８ｍｍである。握り手１２を手で握らない場合、すなわち、力をかけない場合、挿入棒１４の間隔は１６ｃｍであり、握りきるとちょうど二本の挿入棒１４が密に接触するように調整されている。
【００３４】
次にシート２０について説明する。図３に示したように、シート２０は、長方形の短辺に半円が付いたトラック形状であり、片側は粘着剤が全面に一様に塗布された粘着面２１を、他方は本体１０に取り付ける取付面２２を、それぞれ形成している。素材は紙である。説明の便宜上、上記の仮想上の長方形の短辺をｌａとする。また、短辺ｌａの中間線、すなわち、シート２０の中央線を便宜上ｌｂとする。シート２０は、縦１０ｃｍ、横２６ｃｍの大きさとしている（縦１０ｃｍ、横１６ｃｍの長方形の両側に半径５ｃｍの半円がついた形状としている）。後述する様に、この半円部分は、踏みつけるなどして本体１０からシート２０を抜き外す際に利用する。
【００３５】
粘着面２１の粘着剤は粘着力の大きくなく、ガラス面にシート２０全面を貼り付けても容易に剥がせ、かつ、粘着剤がガラス面に残らない性状のものとしている。アクリル系粘着剤等が好適である。また、中央線ｌｂには折線２１１が形成され、シート２０の長手が湾曲すると折線２１１がまず降伏して、ここが折れるようにしてある。
【００３６】
取付面２２には、短辺ｌａに沿って差込筒２２１が形成されており、切れ込み１４１で差込筒２２１をくわえ込むように挿入棒１４が挿入される。差込筒２２１の間隔は１６ｃｍとしており、レバー１２２を引いていないときの挿入棒１４の間隔と同一としている。これにより、シート２０の本体１０への装着作業の容易化を実現している。なお、差込筒２２１は取付面２２に面接触しているように形成され、その径は約８ｍｍ程度であって、きつすぎず、緩すぎず、挿入棒１４の挿入に際し適度な隙間ないし装着感があるように設計されている。
【００３７】
また、取付面２２には、中央線ｌｂ部分に短冊状のつまみ２２２が取り付けられている。このつまみ２２２により、後述の使用例２のように、害虫捕獲具１の操作性が向上する。つまみ２２２の大きさは、２．５ｃｍ×９ｃｍとしている。
【００３８】
＜使用例１＞
次に、図４を用いて害虫捕獲具１の使用方法および動作について説明する。使用例では、支点１３１以降を図示する。まず、シート２０を、取付面２２を本体１０側に向け（粘着面２１が外側ないし向こう側に位置するようにして）、差込筒２２１に挿入棒１４を差し込む。次に、図示しない保護シートを剥がし、粘着面２１を露出させる。
【００３９】
握り手１２を持ち、害虫がいる所へ害虫捕獲具１を向け、近づける（図４ａ）。挿入棒１４間にくるように狙いをつけ、そのまま、シート２０を害虫に押しつける（図４ｂ）。これにより、粘着面２１に害虫が接着する。
【００４０】
害虫捕獲具１を害虫がいた所から離し、レバー１２２を引いて挿入棒１４を閉じる（図４ｃ）。これにより、シート２０が折線２１１で二つに畳まれ、害虫がシート２０に包持される（外から害虫を見えなくする）。
【００４１】
レバー１２２を引いたまま畳まれたシート２０が足下に来るように害虫捕獲具１を動かし、シート２０の外側の半円部分を足（スリッパ）で踏み（図４ｄ）、そのまま挿入棒１４を差込筒２２１から引き抜く。最後に、再びレバー１２２を操作し、二つに折り畳まれたシート２０またはつまみ２２２をつまみ直し、ゴミ箱に捨てる。以上により、衛生的かつ心理的負担も少なく害虫を捕獲、駆除できる。
【００４２】
＜使用例２＞
次に、図５を用いて、つまみ２２２を用いる例について説明する。つまみ２２２は、害虫が隙間や、壁と床（または天井）との境目付近などにいる場合に使用する。まず、シート２０を本体１０に装着して、図示しない保護シートを剥がす。
【００４３】
握り手１２を持ち、若干レバー１２２を引き、取付面２２を押して粘着面２１に山折りグセをつける。次に、害虫がいる場所の形状になじむ折れ角となるように、レバー１２２を所定位置まで引く。なじむ形状とは、たとえば、狭い場所に差し込むのであれば、レバー１２２を握りきってシート２０を逆折り（両面が粘着面２１）とした形状をいい、また、壁と天井との境界で使用するのであれば、粘着面２１が２７０°（以上の）の折り角とした形状をいう。
【００４４】
その姿勢のまま、害虫がいる所へ害虫捕獲具１を持っていき害虫捕獲具１を害虫に押しつける（図５ａ、ｂ）。これにより、粘着面２１に害虫が接着する。害虫捕獲具１を害虫がいた所から離し、手を緩めてレバー１２２を元に戻す。これにより、シート２０がほぼ平らに戻る。
【００４５】
次に、レバー１２２を再び軽く引き、前後して、つまみ２２２をつまんで本体１０側に軽く引き（図５ｃ）、粘着面２１を谷折りとする。そして、レバー１２２を引き切り、挿入棒１４を閉じる。これにより、使用例１と同様にシート２０が折線２１１で二つに畳まれ、害虫がシート２０に包持される。なお、以降の動作は使用例１と同様であるので説明を省略する。
【００４６】
なお、つまみ２２２を引かない場合、レバー１２２を引いても最初の折りグセに従って再び粘着面２１が山折りとなってしまい、害虫を包持できない。使用例２では、つまみ２２２により折グセの向きを反転させる、これにより、操作感、使用感を高めている。
【００４７】
害虫捕獲具１は以上の構成であるので、取扱いに心理抵抗が少なく、利便性に優れ、安価に提供できる。なお、シート２０は取替式であり、シート２０単体を販売することもできる。また、包持するので、見ないで済むだけでなく、カメムシのような害虫であれば悪臭も遮るというメリットを有する。
【００４８】
なお、害虫捕獲具１は、上記の態様に限定されない。たとえば、アーム１３の先端に、切れ込みの入った挿入棒を直接接続するのでなく、図２ｂに示したように、挟持用かえし１５を形成し、そのまま１８０°折り返して挿入棒１４に連続させるようにしてもよい。この挟持用かえし１５と挿入棒１４とで差込筒２２１を挟持するようにする。この場合、差込筒２２１への挿入は容易であるので、広がり１４２の形成は不要である。挿入棒１４を金属でつくる場合には、たとえば鋼線を折り曲げるだけで製造でき、製造性に優れる。
【００４９】
この他、シート２０は、それぞれ個別に保護シートで保護する態様に限らず、積層させて粘着面２１を保護してもよいもよい。すなわち、第一シート２０の粘着面２１にのみ保護シートを貼付し、第一シート２０の取付面２２に第二シート２０の粘着面２１を、第二シート２０の取付面２２に第三シート２０の粘着面２１を、というように、それぞれ貼着する態様であってもよい。このとき、粘着面２１は全面に粘着剤が塗布されているが、差込筒２２１があるため、ここが立ち上がり、最上位のシート２０のみを簡便に剥がすことができる。なお、積層の際には、差込筒２２１を倒伏させておくようにする。
【産業上の利用可能性】
【００５０】
本発明によれば、極力近づかずに、また、接着した後のもがきも目にすることなく、シートに包持して害虫を駆除可能となる。特に差込筒をシートの内側に設けているので、包持後足で押さえつける舌片が形成され、シートの引き抜きが容易となっている。
【符号の説明】
【００５１】
１        害虫捕獲具
１０     本体
１１     柄
１２     握り手
１２１  グリップ
１２２  レバー
１３     アーム
１３１  支点
１４     挿入棒
１４１  切れ込み
１４２  広がり
１５     挟持用かえし
２０     シート
２１     粘着面
２１１  折線
２２     取付面
２２１  差込筒
２２２  つまみ
ｌａ      短辺
ｌｂ      中央線
【要約】
【課題】取扱いに心理抵抗が少なく、利便性に優れ、安価に提供できる害虫捕獲具を提供すること。
【解決手段】
中央に折線２１１を備え、害虫を捕獲する粘着面２１を一方に、折線２１１をはさみ、等距離かつ平行に二本の差込筒２２１を備えた取付面２２を他方に備えたシート２０を用いる害虫捕獲具１であって、差込筒２２１にそれぞれ挿入するまたは引抜くことによりシート２０を着脱する互いに平行な二本の挿入棒１４を片端に備え、他端には、手で握ることにより平行の位置関係を保ったまま挿入棒１４の間隔を狭める握り手１２を備え、挿入棒１４を差込筒２２１に挿入し、粘着面２１に害虫を付けた後、握り手１２のレバー１２２を引いて害虫を包持することを特徴とする害虫捕獲具１である。
【選択図】図１【図１】
0005601431.tif 000002
【図２】
0005601431.tif 000003
【図３】
0005601431.tif 000004
【図４】
0005601431.tif 000005
【図５】
0005601431.tif 000006